(57)【要約】【課題】  利用者による設定作業を従来より低減することができる撮像表示装置を提供する。【解決手段】  テレビ会議装置１０は、映像の表示領域を変更可能な液晶表示置２０と、撮像領域を変更可能な単数のカメラ３１〜３３と、複数の利用者の位置を検出可能な位置検出部５０と、液晶表示装置２０の動作を制御する画面制御部６０と、カメラ３１〜３３の動作を制御するカメラ制御部７０とを備え、画面制御部６０は、位置検出部５０によって検出された利用者毎の位置に基づいて液晶表示装置２０による利用者用の表示領域を利用者毎に設定し、カメラ制御部７０は、位置検出部５０によって検出された利用者毎の位置に基づいて利用者用のカメラ３１〜３３の撮像領域を利用者毎に設定する。【選択図】図１
2005311734.tif 000002
【特許請求の範囲】
【請求項１】
映像の表示領域を変更可能な映像表示装置と、撮像領域を変更可能な複数の撮像装置と、複数の利用者の位置を検出可能な位置検出手段と、前記映像表示装置及び前記撮像装置の動作を制御する制御手段とを備え、
前記制御手段は、前記位置検出手段によって検出された前記利用者毎の位置に基づいて前記利用者用の前記撮像装置の前記撮像領域及び前記映像表示装置による前記利用者用の前記表示領域を前記利用者毎に設定する手段を備えたことを特徴とする撮像表示装置。
【請求項２】
前記位置検出手段は、前記利用者に対応付けられた物の位置を検出することによって前記利用者の位置を検出する手段を備えたことを特徴とする請求項１に記載の撮像表示装置。
【請求項３】
前記利用者に対応付けられた物に付されたＩＤを読み取るＩＤ読取手段を備え、前記制御手段は、前記ＩＤ読取手段によって読み取られた前記ＩＤに基づいて前記映像表示装置及び前記撮像装置の少なくとも一方の動作を制御する手段を備えたことを特徴とする諸求項１に記載の撮像表示装置。
【請求項４】
前記位置検出手段は、前記ＩＤ読取手段による前記ＩＤの読み取り結果に基づいて前記物の位置を検出することによって前記利用者の位置を検出する手段を備えたことを特徴とする請求項３に記載の撮像表示装置。
【請求項５】
映像の表示領域を変更可能な映像表示装置と、撮像領域を変更可能な複数の撮像装置と、複数の利用者の位置を検出可能な位置検出手段と、前記映像表示装置及び前記撮像装置の動作を制御する制御手段とを備え、
前記制御手段は、前記位置検出手段によって検出された前記利用者毎の位置に基づいて前記利用者用の前記撮像装置の前記撮像領域及び前記映像表示装置による前記利用者用の前記表示領域を前記利用者毎に設定する手順を備えたことを特徴とする撮像表示方法。
【請求項６】
前記位置検出手段は、前記利用者に対応付けられた物の位置を検出することによって前記利用者の位置を検出する手順を備えたことを特徴とする請求項５に記載の撮像表示方法。
【請求項７】
前記利用者に対応付けられた物に付されたＩＤを読み取るＩＤ読取手段を備え、前記制御手段は、前記ＩＤ読取手段によって読み取られた前記ＩＤに基づいて前記映像表示装置及び前記撮像装置の少なくとも一方の動作を制御する手順を備えたことを特徴とする諸求項５に記載の撮像表示方法。
【請求項８】
前記位置検出手段は、前記ＩＤ読取手段による前記ＩＤの読み取り結果に基づいて前記物の位置を検出することによって前記利用者の位置を検出する手順を備えたことを特徴とする請求項７に記載の撮像表示方法。
【発明の詳細な説明】
【技術分野】
【０００１】
本発明は、利用者を撮像するとともに利用者用の映像を表示する撮像表示装置および方法に関するものである。
【背景技術】
【０００２】
従来の撮像表示装置としては、テレビカメラ及びディスプレイを有した端末装置を利用者毎に備えたものが知られている（例えば特許文献１参照、）。
【特許文献１】特開平６−１６５１７３号公報（第３頁、第１−２図）
【発明の開示】
【発明が解決しようとする課題】
【０００３】
しかしながら、従来の撮像表示装置においては、テレビカメラやディスプレイの利用者に対する位置及び角度を利用者自身に設定させる必要があるため、利用者にとって煩雑な装置になるという問題があった。
【０００４】
本発明は、利用者による設定作業を従来より低減することができる撮像表示装置および撮像表示方法を提供することを目的とする。
【課題を解決するための手段】
【０００５】
（１）本発明の撮像表示装置および撮像表示方法は、映像の表示領域を変更可能な映像表示装置と、撮像領域を変更可能な複数の撮像装置と、複数の利用者の位置を検出可能な位置検出手段と、前記映像表示装置及び前記撮像装置の動作を制御する制御手段とを備え、前記制御手段は、前記位置検出手段によって検出された前記利用者毎の位置に基づいて前記利用者用の前記撮像装置の前記撮像領域及び前記映像表示装置による前記利用者用の前記表示領域を前記利用者毎に設定することを特徴とする。
【０００６】
これにより、本発明は、利用者用の撮像装置の撮像領域及び映像表示装置による利用者用の表示領域を利用者毎の位置に基づいて利用者毎に設定するので、利用者による設定作業を従来より低減することができる。
【０００７】
（２）本発明の撮像表示装置および撮像表示方法は、前記位置検出手段は、前記利用者に対応付けられた物の位置を検出することによって前記利用者の位置を検出することを特徴とする。
【０００８】
これにより、本発明は、利用者の位置を画像処理によって検出する構成と比較して、容易に利用者の位置を検出することができる。
【０００９】
（３）本発明の撮像表示装置および撮像表示方法は、前記利用者に対応付けられた物に付されたＩＤを読み取るＩＤ読取手段を備え、前記制御手段は、前記ＩＤ読取手段によって読み取られた前記ＩＤに基づいて前記映像表示装置及び前記撮像装置の少なくとも一方の動作を制御することを特徴とする。
【００１０】
これにより、本発明は、映像表示装置及び撮像装置の少なくとも一方によって、各利用者に応じた動作を行うことができる。
【００１１】
（４）本発明の撮像表示装置および撮像表示方法は、前記位置検出手段は、前記ＩＤ読取手段による前記ＩＤの読み取り結果に基づいて前記物の位置を検出することによって前記利用者の位置を検出することを特徴とする。
【００１２】
これにより、本発明は、ＩＤ読取手段によるＩＤの読み取り結果を用いずに利用者の位置を検出する構成と比較して、少ない構成要素で実現されることができる。
【発明の効果】
【００１３】
以上のとおり、本発明によれば、利用者による設定作業を従来より低減することができる撮像表示装置を提供することができる。
【発明を実施するための最良の形態】
【００１４】
以下、本発明の実施形態について、図面を用いて説明する。
【００１５】
まず、本実施の形態に係る撮像表示装置の構成について説明する。図１及び図２に示すように、本実施形態に係る撮像表示装置としてのテレビ会議装置１０は、映像の表示領域を変更可能な映像表示装置としての液晶表示装置２０と、液晶表示装置２０の周囲に配置されたレール３０と、レール３０上を移動することによって撮像領域を変更可能な複数の撮像装置としてのカメラ３１〜３３と、液晶表示装置２０の周囲に配置された台４０と、利用者９１〜９３に対応付けられた飲料用のカップ９１ａ〜９３ａに付されたＩＤとしてのＲＦＩＤ（Radio Frequency Identification）を読み取るＩＤ読取手段を構成するとともに、台４０に均等に埋め込まれたＩＤ読取部４１と、利用者９１〜９３の位置を検出可能な位置検出手段としての位置検出部５０と、液晶表示装置２０の表示動作を制御する制御手段としての画面制御部６０と、カメラ３１〜３３の動作を制御する制御手段としてのカメラ制御部７０と、利用者９１〜９３の情報を記憶する利用者情報ＤＢ（Data Base）８０と、遠隔地に設置された図示していない他のテレビ会議装置（以下「遠隔地テレビ会議装置」という。）からの映像信号をネットワークを介して受信する映像受信部８５と、遠隔地テレビ会議装置にネットワークを介して映像信号を送信する映像送信部８６とを備えている。
【００１６】
ここで、位置検出部５０は、ＩＤ読取部４１によるＩＤの読み取り結果に基づいてカップ９１ａ〜９３ａの位置を検出することによって利用者９１〜９３の位置を検出するようになっている。
【００１７】
画面制御部６０は、位置検出部５０によって検出された利用者９１〜９３毎の位置に基づいて液晶表示装置２０による利用者９１〜９３用の表示領域を利用者９１〜９３毎に設定するようになっている。また、画面制御部６０は、ＩＤ読取部４１によって読み取られたＩＤに基づいて液晶表示装置２０の表示動作を制御するようになっている。
【００１８】
カメラ制御部７０は、位置検出部５０によって検出された利用者９１〜９３毎の位置に基づいて利用者９１〜９３用のカメラ３１〜３３の撮像領域を利用者９１〜９３毎に設定できるようにされる。
【００１９】
次に、テレビ会議装置１０の動作について説明する。図３に示すように、利用者９１が液晶表示装置２０に対して好きな位置に移動してカップ９１ａを台４０の上に置くと、複数のＩＤ読取部４１のうちカップ９１ａに最も近いＩＤ読取部４１がカップ９１ａのＲＦＩＤを読み取る。同様に、利用者９２，９３が液晶表示装置２０に対してそれぞれ好きな位置に移動してカップ９２ａ，９３ａを台４０の上に置くと、複数のＩＤ読取部４１のうちカップ９２ａ，９３ａに最も近いＩＤ読取部４１がカップ９２ａ，９３ａのＲＦＩＤを読み取る。
【００２０】
次いで、位置検出部５０は、ＩＤ読取部４１によるＩＤの読み取り結果に基づいてカップ９１ａ〜９３ａの位置を検出することによって利用者９１〜９３の位置を検出する。
【００２１】
そして、カメラ制御部７０は、位置検出部５０によって検出された利用者９１〜９３毎の位置に基づいて、図４に示すように、カメラ３１〜３３を移動することによって、カメラ３１，３２，３３によってそれぞれ利用者９１，９２，９３が撮像されるようにカメラ３１〜３３による撮像領域を設定する。
【００２２】
次いで、画面制御部６０は、位置検出部５０によって検出された利用者９１〜９３毎の位置に基づいて、図５に示すように、液晶表示装置２０による利用者９１用の表示領域２０ａ、利用者９２用の表示領域２０ｂ、利用者９３用の表示領域２０ｃを設定する。また、映像受信部８５は、遠隔地テレビ会議装置からの映像信号をネットワークを介して受信して画面制御部６０に出力する。一方、映像送信部８６は、カメラ３１〜３３からの映像信号をネットワークを介して遠隔地テレビ会議装置に送信する。
【００２３】
そして、画面制御部６０は、利用者９１用の表示領域２０ａに、カメラ３２，３３でそれぞれ撮像された利用者９２，９３の画像と、遠隔地テレビ会議装置を利用して遠隔地でテレビ会議に参加する利用者９４，９５の画像とを合成して表示する。同様に、画面制御部６０は、利用者９２用の表示領域２０ｂに、カメラ３１，３３でそれぞれ撮像された利用者９１，９３の画像と、遠隔地テレビ会議装置を利用して遠隔地でテレビ会議に参加する利用者９４，９５の画像とを合成して表示し、利用者９３用の表示領域２０ｃに、カメラ３１，３２でそれぞれ撮像された利用者９１，９２の画像と、遠隔地テレビ会議装置を利用して遠隔地でテレビ会議に参加する利用者９４，９５の画像とを合成して表示する。
【００２４】
また、画面制御部６０は、カップ９１ａの所有者である利用者９１の名前Ａ等の情報をＩＤ読取部４１によるＩＤの読み取り結果に基づいて利用者情報ＤＢ８０から取得し、利用者９１用の表示領域２０ａに例えば「Ａさん、ようこそ。」等の利用者９１に応じた表示を行う。同様に、画面制御部６０は、ＩＤ読取部４１によるＩＤの読み取り結果に基づいて、液晶表示装置２０の表示領域２０ｂ，２０ｃにそれぞれ利用者９２，９３に応じた表示を行う。
【００２５】
以上に説明したように、テレビ会議装置１０は、利用者９１〜９３用のカメラ３１〜３３の撮像領域や液晶表示装置２０による利用者９１〜９３用の表示領域を利用者９１〜９３毎の位置に基づいて利用者９１〜９３毎に設定するので、利用者９１〜９３による設定作業を従来より低減することができる。
【００２６】
また、テレビ会議装置１０は、ＩＤ読取部４１によって読み取られたＩＤに基づいて液晶表示装置２０の動作を制御するので、上述したように液晶表示装置２０によって各利用者９１〜９３に応じた動作を得ることができる。
【００２７】
なお、テレビ会議装置１０は、ＩＤ読取部４１によって読み取られたＩＤに基づいてカメラ３１〜３３の動作を制御するようになっていても良い。
【００２８】
また、テレビ会議装置１０は、利用者９１〜９３に対応付けられたカップ９１ａ〜９３ａの位置を検出することによって利用者９１〜９３の位置を検出するので、利用者９１〜９３の位置を画像処壇によって検出する構成と比較して、容易に利用者９１〜９３の位置を検出することができる。
【００２９】
また、テレビ会議装置１０は、ＩＤ読取部４１によるＩＤの読み取り結果を用いて利用者９１〜９３の位置を検出するので、ＩＤ読取部４１によるＩＤの読み取り結果を用いずに利用者９１〜９３の位置を検出する構成と比較して、少ない構成要素で実現されることができる。
【００３０】
なお、テレビ会議装置１０は、ＩＤ読取部４１によるＩＤの読み取り結果を用いずに、別の新たな構成要素を用いて利用者９１〜９３の位置を検出する構成であっても良い。
【００３１】
また、テレビ会議装置１０は、カップ９１ａ〜９３ａに付されたＩＤに基づいて利用者９１〜９３の位置を検出するようになっているが、カップに付されたＩＤに基づいて利用者９１〜９３の位置を検出する方法以外の方法によって利用者９１〜９３の位置を検出するようになっていても良い。例えば、テレビ会議装置１０は、カップ以外の物に付されたＩＤに基づいて利用者９１〜９３の位置を検出するようになっていても良いし、ＲＦＩＤ以外の無線技術で利用者９１〜９３に対応付けられた物の位置を検出することによって利用者９１〜９３の位置を検出するようになっていても良いし、テレビ会議装置１０が設置される部屋の天井に取り付けられた図示していないカメラからの映像を画像処理することによって利用者９１〜９３の位置を検出するようになっていても良い。
【００３２】
また、テレビ会議装置１０は、レール３０を用いた駆動方法によってカメラ３１〜３３を駆動するようになっているが、レール３０を用いた駆動方法以外の駆動方法によってカメラ３１〜３３を駆動するようになっていても良い。例えば、テレビ会議装置１０は、液晶表示装置２０の表示画面上の中央に配置された回転型の駆動装置と、駆動装置及びカメラ３１を接続するアームと、駆動装置及びカメラ３２を接続するアームと、駆動装置及びカメラ３３を接続するアームと備え、駆動装置を回転することによってカメラを駆動するようになっていても良い。
【００３３】
また、テレビ会議装置１０は、例えばカップ９１ａ〜９３ａを運ぶための盆としても機能する持ち運び可能な小型装置として、液晶表示装置２０、カメラ３１〜３３及びＩＤ読取部４１が一体に形戌されていても良い。
【００３４】
また、テレビ会議装置１０は、液晶表示装置２０、カメラ３１〜３３及びＩＤ読取部４１と一体に形成されたコンピュータ内に位置検出部５０、画面制御部６０、カメラ制御部７０及び利用者情報ＤＢ８０が備えられていても良いし、液晶表示装置２０、カメラ３１〜３３及びＩＤ読取部４１と離れた場所に設置されたサーバ内に位置検出部５０、画面制御部６０、カメラ制御部７０及び利用者情報ＤＢ８０の少なくとも１つが備えられていても良い。
【００３５】
また、テレビ会議装置１０は、３人の利用者に対応するようになっているが、３人以外の複数の利用者に対応するようになっていても良い。また、テレビ会議装置１０の台４０は、円形であるが、四角形等、円形以外の形状であっても良い。
【産業上の利用可能性】
【００３６】
本発明に係る撮像表示装置は、利用者による設定作業を従来より低減することができるという効果を有し、テレビ会議装置等として有用である。
【図面の簡単な説明】
【００３７】
【図１】本発明の実施形態に係るテレビ会議装置の構成を示すブロック図。
【図２】利用者がカップを台に置く前の図１に示すテレビ会議装置の上面図。
【図３】利用者がカップを台に置いたときの図１に示すテレビ会議装置の上面図。
【図４】カメラが移動したときの図１に示すテレビ会議装置の上面図。
【図５】液晶表示装置の表示領域が分割されたときの図１に示すテレビ会議装置の上面図。
【符号の説明】
【００３８】
１０  テレビ会議装置（撮像表示装置）
２０  液晶表示装置（映像表示装置）
２０ａ，２０ｂ，２０ｃ  表示領域
３０  レール
３１〜３３  カメラ
４０  台
４１  ＩＤ読取部
５０  位置検出部（位置検出手段）
６０  画面制御部（制御手段）
７０  カメラ制御部（制御手段）
８０  利用者情報ＤＢ
９１ａ〜９３ａ  カップ（物）
【図１】
2005311734.tif 000003
【図２】
2005311734.tif 000004
【図３】
2005311734.tif 000005
【図４】
2005311734.tif 000006
【図５】
2005311734.tif 000007